Podtech/llm-jp-corpus-v4-ja_patent huggingface dataset:
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
印刷を実行可能な画像形成装置であって、
前記画像形成装置のファームェアを更新するための更新処理を実行する更新手段と、
前記更新手段が前記更新処理を実行した場合に、前記更新処理によって追加された設定項目と、前記更新処理によって削除された設定項目と、前記更新処理によって変更された設定項目の変更前の設定値と、前記更新処理によって変更された設定項目の変更後の設定値とを示す設定差分情報を生成する生成手段と、
前記生成手段によって生成された前記設定差分情報を更新履歴に対応付けて蓄積する蓄積手段と、
前記更新処理に関する更新履歴画面を表示する表示手段と、を備え、
前記更新履歴画面において複数の更新履歴の中から特定の更新履歴をユーザが選択した場合に、前記表示手段は、前記特定の更新履歴に対応する前記設定差分情報に基づいて、前記特定の更新履歴が示す更新処理によって追加された設定項目と、前記特定の更新履歴が示す更新処理によって削除された設定項目と、前記特定の更新履歴が示す更新処理によって変更された設定項目の変更前の設定値と、前記特定の更新履歴が示す更新処理によって変更された設定項目の変更後の設定値とを表示することを特徴とする画像形成装置。
【請求項２】
前記更新履歴画面において複数の更新履歴の中から前記特定の更新履歴をユーザが選択した場合に、前記表示手段は、前記特定の更新履歴が示す更新処理によって変更された設定項目の設定値を変更前の設定値に戻すための変更オブジェクトを表示することを特徴とする請求項１に記載の画像形成装置。
【請求項３】
前記更新処理が正常に終了したか否かを判定する判定手段を更に備え、
前記生成手段は、前記更新処理が正常に終了したと前記判定手段によって判定された場合に、前記設定差分情報を生成することを特徴とする請求項１又は２に記載の画像形成装置。
【請求項４】
前記更新履歴画面には、前記更新処理が実行された日時が表示されることを特徴とする請求項１乃至３のいずれか１項に記載の画像形成装置。
【請求項５】
前記設定差分情報はＸＭＬ形式であることを特徴とする請求項１乃至４のいずれか１項に記載の画像形成装置。
【請求項６】
印刷を実行可能な画像形成装置の制御方法であって、
前記画像形成装置のファームェアを更新するための更新処理を実行する更新ステップと、
前記更新ステップで前記更新処理が実行された場合に、前記更新処理によって追加された設定項目と、前記更新処理によって削除された設定項目と、前記更新処理によって変更された設定項目の変更前の設定値と、前記更新処理によって変更された設定項目の変更後の設定値とを示す設定差分情報を生成する生成ステップと、
前記生成ステップによって生成された前記設定差分情報を更新履歴に対応付けて蓄積する蓄積ステップと、
前記更新処理に関する更新履歴画面を表示する表示ステップと、を備え、
前記表示ステップでは、前記更新履歴画面において複数の更新履歴の中から特定の更新履歴をユーザが選択した場合に、前記特定の更新履歴に対応する前記設定差分情報に基づいて、前記特定の更新履歴が示す更新処理によって追加された設定項目と、前記特定の更新履歴が示す更新処理によって削除された設定項目と、前記特定の更新履歴が示す更新処理によって変更された設定項目の変更前の設定値と、前記特定の更新履歴が示す更新処理によって変更された設定項目の変更後の設定値とを表示することを特徴とする画像形成装置の制御方法。
【請求項７】
コンピュータを請求項１乃至５のいずれか１項に記載の画像形成装置の各手段として機能させるためのプログラム。
【手続補正２】
【補正対象書類名】明細書
【補正対象項目名】０００９
【補正方法】変更
【補正の内容】
【０００９】
本発明は、印刷を実行可能な画像形成装置であって、前記画像形成装置のファームェアを更新するための更新処理を実行する更新手段と、前記更新手段が前記更新処理を実行した場合に、前記更新処理によって追加された設定項目と、前記更新処理によって削除された設定項目と、前記更新処理によって変更された設定項目の変更前の設定値と、前記更新処理によって変更された設定項目の変更後の設定値とを示す設定差分情報を生成する生成手段と、前記生成手段によって生成された前記設定差分情報を更新履歴に対応付けて蓄積する蓄積手段と、前記更新処理に関する更新履歴画面を表示する表示手段と、を備え、前記更新履歴画面において複数の更新履歴の中から特定の更新履歴をユーザが選択した場合に、前記表示手段は、前記特定の更新履歴に対応する前記設定差分情報に基づいて、前記特定の更新履歴が示す更新処理によって追加された設定項目と、前記特定の更新履歴が示す更新処理によって削除された設定項目と、前記特定の更新履歴が示す更新処理によって変更された設定項目の変更前の設定値と、前記特定の更新履歴が示す更新処理によって変更された設定項目の変更後の設定値とを表示することを特徴とする。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
表示手段に複数の選択肢を表示するように制御する表示制御手段と、
前記表示手段に対するタッチ操作を受け付けるタッチ操作受付手段と、
選択されている選択肢に関するガイダンス表示を行うガイダンスＯＮと、ガイダンス表示を行わないガイダンスＯＦＦとを切り換える切換手段と、
ガイダンスＯＮのとき、前記複数の選択肢のうち選択されていない選択肢がタッチされると、タッチされた選択肢を選択状態にし、他の選択肢を少なくとも１つ表示したまま該選択状態の選択肢のガイダンスを表示し、選択状態の選択肢がタッチされるとタッチされた選択肢の決定動作をするように制御し、
ガイダンスＯＦＦのとき、タッチされた選択肢が選択状態か否かにかかわらず、選択肢がタッチされるとタッチされた選択肢の決定動作を行うように制御する制御手段と
を有することを特徴とする表示制御装置。
【請求項２】
前記選択肢の決定動作は、それまで表示していた選択肢をすべて消去して選択肢の設定サブ画面を開く動作であることを特徴とする請求項１に記載の表示制御装置。
【請求項３】
前記ガイダンスは、画面の第１の領域に表示された選択肢がタッチされた場合は第２の領域へ表示し、前記第２の領域に表示された選択肢がタッチされた場合は前記第１の領域に表示することを特徴とする請求項１または２に記載の表示制御装置。
【請求項４】
前記第１の領域は画面の下半分であり、前記第２の領域は画面の上半分であることを特徴とする請求項３に記載の表示制御装置。
【請求項５】
選択肢の設定状態を表示する設定表示状態と、選択肢を選択および決定させる設定状態とを切り換える状態切換手段を有し、
ガイダンス表示制御手段は、前記状態切換手段によって前記設定表示状態から前記設定状態に切り換えられたときに限りガイダンスＯＮ、ＯＦＦの状態にかかわらずガイダンスを表示しないことを特徴とする請求項１乃至４のいずれか１項に記載の表示制御装置。
【請求項６】
前記制御手段は、前記状態切換手段によって前記設定表示状態から前記設定状態に切り換えられたとき、前記設定状態で最後に選択状態にされた選択肢を前記選択状態に設定することを特徴とする請求項５に記載の表示制御装置。
【請求項７】
前記複数の選択肢のうち、第１の選択肢が選択され、該第１の選択肢のガイダンスが表示されている場合、第２の選択肢は前記ガイダンスに重ならずに同時に表示され、
前記複数の選択肢のうち、第２選択肢が選択され、該第２の選択肢のガイダンスが表示されている場合、前記第１の選択肢は前記ガイダンスに重ならずに同時に表示されることを特徴とする請求項１乃至６のいずれか１項に記載の表示制御装置。
【請求項８】
撮像手段を更に有し、
前記複数の選択肢として、前記撮像手段での撮像に関する設定値であるシャッター値、絞り値、ＩＳＯ感度値が前記表示手段に表示され、
前記シャッター値、前記絞り値、前記ＩＳＯ感度値のいずれか１つが選択状態にあり、ガイダンスが表示されているとき、前記シャッター値、前記絞り値、前記ＩＳＯ感度値はガイダンスに重ならず同時に表示されていることを特徴とする請求項１乃至７のいずれか１項に記載の表示制御装置。
【請求項９】
表示手段に複数の選択肢を表示するように制御する表示制御ステップと、
前記表示手段に対するタッチ操作を受け付けるタッチ操作受付ステップと、
選択されている選択肢に関するガイダンス表示を行うガイダンスＯＮと、ガイダンス表示を行わないガイダンスＯＦＦとを切り換える切換ステップと、
ガイダンスＯＮのとき、前記複数の選択肢のうち選択されていない選択肢がタッチされると、タッチされた選択肢を選択状態にし、他の選択肢を少なくとも１つ表示したまま該選択状態の選択肢のガイダンスを表示し、選択状態の選択肢がタッチされるとタッチされた選択肢の決定動作をするように制御し、
ガイダンスＯＦＦのとき、タッチされた選択肢が選択状態か否かにかかわらず、選択肢がタッチされるとタッチされた選択肢の決定動作を行うように制御する制御ステップと
を有することを特徴とする表示制御装置の制御方法。
【請求項１０】
コンピュータを、請求項１乃至８のいずれか１項に記載された表示制御装置の各手段として機能させるプログラム。
【請求項１１】
コンピュータを、請求項１乃至８のいずれか１項に記載された表示制御装置の各手段として機能させるプログラムを格納したコンピュータが読み取り可能な記憶媒体。
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
複数のプロセッサと、前記プロセッサの間でのデータ転送のスケジュールを行うスケジューラと、を含むシステムにおけるプロセッサ間通信制御方法であって、
プロセッサが、前記スケジューラに対して他のプロセッサとの間のデータ転送に関する要求を発行する要求発行ステップと、
プロセッサが、前記スケジューラから他のプロセッサとの間のデータ転送に関する指示の受け付けを行う指示受付ステップと、
プロセッサが、前記スケジューラに対して他のプロセッサとの間のデータ転送に関する通知を発行する通知発行ステップと、
プロセッサが、前記指示に応じてプロセッサ間のデータ転送を開始する開始ステップと、
前記スケジューラが、プロセッサより前記要求を受信する要求受信ステップと、
前記スケジューラが、プロセッサより前記通知を受信する通知受信ステップと、
前記スケジューラが、前記受信した要求、又は前記受信した通知に基づいて、プロセッサ間のデータ転送に関わる衝突がなく、かつ、より多くのプロセッサ間のデータ転送を行うように、スケジューリングを行い、スケジューリングの結果に基づき、プロセッサに対して指示を発行する指示発行ステップと、
を含むことを特徴とするプロセッサ間通信制御方法。
【請求項２】
前記指示のひとつは転送指示であり、
前記開始ステップでは、前記プロセッサが、前記転送指示を受信した順番に、先行する転送指示によるデータ転送の完了後、次のデータ転送を開始することを特徴とする請求項１記載のプロセッサ間通信制御方法。
【請求項３】
前記指示のひとつは転送指示であり、
前記要求のひとつは他のプロセッサとの間でデータ転送が必要であることを示す転送要求であり、
前記通知のひとつは前記転送指示によるデータ転送が完了したことを表わす完了通知であり、
前記指示発行ステップでは、前記スケジューラが、前記転送要求、又は前記完了通知を受信するたびに再びスケジュールを行い、プロセッサに対して追加の指示を発行することを特徴とする請求項１又は２記載のプロセッサ間通信制御方法。
【請求項４】
前記要求のひとつは転送要求であり、
前記指示発行ステップでは、前記スケジューラが、転送要求に基づいて、プロセッサ間のデータ転送に関わる衝突がなく、かつ、より多くのプロセッサ間のデータ転送を行うように、転送要求を受けたデータ転送のうち、転送指示を発行していないものについて、転送指示を出すか否か決定し、転送指示を出すと決定した場合、該当するプロセッサに対して前記転送指示を発行することを特徴とする請求項１乃至３何れか１項記載のプロセッサ間通信制御方法。
【請求項５】
前記指示発行ステップでは、前記スケジューラが、どちらともデータ転送のエンドポイントとなっていないプロセッサ間、どちらかがエンドポイントとなっているプロセッサ間、どちらともデータ転送のエンドポイントとなっているプロセッサ間の順に優先して、前記転送指示を発行する請求項４記載のプロセッサ間通信制御方法。
【請求項６】
前記スケジューラが、より多くのプロセッサ間のデータ転送を行えるか否かの判断に基づき、前記指示発行ステップで転送指示を発行したものの未だデータ転送が始まっていないと思われるデータ転送をキャンセルするよう指示するキャンセル指示を出すか否かを決定し、キャンセル指示を出すと決定した場合、該当するプロセッサに対して前記キャンセル指示を発行するキャンセル指示発行ステップを更に含み、
前記指示受付ステップでは、プロセッサが、前記キャンセル指示を受け付け、
前記通知発行ステップでは、プロセッサが、前記キャンセル指示を受け付けたデータ転送が未だ始まっていない場合、データ転送のエントリをキャンセルした上でキャンセル受諾通知を前記スケジューラに発行し、前記キャンセル指示を受け付けたデータ転送が既に始まっている場合、キャンセル拒絶通知を前記スケジューラに発行することを特徴とする請求項４又は５記載のプロセッサ間通信制御方法。
【請求項７】
複数のプロセッサと、前記プロセッサの間でのデータ転送のスケジュールを行うスケジューラと、を含むシステムであって、
前記プロセッサは、
前記スケジューラに対して他のプロセッサとの間のデータ転送に関する要求を発行する要求発行手段と、
前記スケジューラから他のプロセッサとの間のデータ転送に関する指示の受け付けを行う指示受付手段と、
前記スケジューラに対して他のプロセッサとの間のデータ転送に関する通知を発行する通知発行手段と、
前記指示に応じてプロセッサ間のデータ転送を開始する開始手段と、
を含み、
前記スケジューラは、
プロセッサより前記要求を受信する要求受信手段と、
プロセッサより前記通知を受信する通知受信手段と、
前記受信した要求、又は前記受信した通知に基づいて、プロセッサ間のデータ転送に関わる衝突がなく、かつ、より多くのプロセッサ間のデータ転送を行うように、スケジューリングを行い、スケジューリングの結果に基づき、プロセッサに対して指示を発行する指示発行手段と、
を含むことを特徴とするシステム。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
第１方向に配列され、レーザ光を出射する複数のレーザ発生器と、
前記レーザ光が照射され蛍光を出射する蛍光部材と、
前記複数のレーザ発生器から出射したレーザ光を透過して前記蛍光部材に照射する集光レンズと、
を備え、
前記集光レンズは、前記レーザ光を前記第１方向には集光せず、前記レーザ光を前記第１方向と交差する第２方向に集光することを特徴とする発光装置。
【請求項２】
前記複数のレーザ発生器は同一の基板に設けられていることを特徴とする請求項１に記載の発光装置。
【請求項３】
前記複数のレーザ発生器は前記レーザ光の長軸方向と直交する方向に配列されていることを特徴とする請求項１または２に記載の発光装置。
【請求項４】
前記複数のレーザ発生器から出射した各レーザ光の光軸が前記レーザ発生器から離れるにしたがって互いに近づくように、前記複数のレーザ発生器は配置されていることを特徴とする請求項１〜３のいずれか１項に記載の発光装置。
【請求項５】
前記蛍光部材は前記レーザ光が照射される照射面を含み、
前記複数のレーザ発生器から出射し前記集光レンズを透過した各レーザ光の光軸と前記蛍光部材の照射面との交点は、１点であることを特徴とする請求項４に記載の発光装置。
【請求項６】
前記蛍光部材は前記レーザ光が照射される照射面を含み、
前記複数のレーザ発生器から出射し前記集光レンズを透過した各レーザ光の光軸と前記蛍光部材の照射面との交点は、複数点であることを特徴とする請求項１〜４のいずれか１項に記載の発光装置。
【請求項７】
複数の前記交点は、前記レーザ光が照射されることにより白色光を出射する点と、前記レーザ光が照射されることにより橙色光を出射する点とを含むことを特徴とする請求項６に記載の発光装置。
【請求項８】
前記蛍光部材は、前記レーザ光が照射されることにより白色光を出射する白色蛍光体と、前記レーザ光が照射されることにより橙色光を出射する橙色蛍光体とを含み、
前記白色蛍光体は車両用の前照灯の光源として機能し、
前記橙色蛍光体は車両用の方向指示器の光源として機能することを特徴とする請求項７に記載の発光装置。
【請求項９】
前記複数のレーザ発生器は個別に駆動されることを特徴とする請求項６〜８のいずれか１項に記載の発光装置。
【請求項１０】
前記集光レンズはシリンドリカルレンズを含むことを特徴とする請求項１〜９のいずれか１項に記載の発光装置。
【請求項１１】
前記複数のレーザ発生器を収納するとともに、前記レーザ光の出射側に開口部を有する収納部材と、
前記収納部材の開口部に取り付けられるとともに、前記レーザ光を透過する機能を有するカバー部材と、
を備え、
前記集光レンズは前記カバー部材に固定されていることを特徴とする請求項１〜１０のいずれか１項に記載の発光装置。
【請求項１２】
車両用の光源として用いられることを特徴とする請求項１〜１１のいずれか１項に記載の発光装置。
【請求項１３】
請求項１〜１２のいずれか１項に記載の発光装置と、前記発光装置から出射した光を投光する投光部材と、を備えることを特徴とする投光装置。
【請求項１４】
前記投光部材は前記蛍光部材から出射した光を反射する反射部材を含むことを特徴とする請求項１３に記載の投光装置。
【請求項１５】
前記反射部材には、前記レーザ発生器からのレーザ光を通過させて前記蛍光部材に到達させる貫通穴が形成されていることを特徴とする請求項１４に記載の投光装置。
【請求項１６】
前記投光部材は前記蛍光部材から出射した光を透過するレンズを含むことを特徴とする請求項１３〜１５のいずれか１項に記載の投光装置。
【請求項１７】
車両用の灯具として用いられることを特徴とする請求項１３〜１６のいずれか１項に記載の投光装置。
【請求項１８】
第１方向に配列され、レーザ光を出射する複数のレーザ発生器と、
前記複数のレーザ発生器から出射したレーザ光を透過して蛍光部材に照射する集光レンズと、
を備え、
前記集光レンズは、前記レーザ光を前記第１方向には集光せず、前記レーザ光を前記第１方向と交差する第２方向に集光することを特徴とするレーザ照射装置。
【手続補正２】
【補正対象書類名】明細書
【補正対象項目名】発明の名称
【補正方法】変更
【補正の内容】
【発明の名称】発光装置、投光装置およびレーザ照射装置
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
再生候補とされた複数のコンテンツが有する複数の関連性に応じて、前記複数のコンテンツを分類した複数のグループのうち、所定数のグループに含まれる前記コンテンツに関連する画像を、表示部に表示させ、
ユーザの操作に基づいて、前記所定数のグループを切り替えて、前記コンテンツに関する画像を、前記表示部に表示させ、
前記コンテンツの中から再生対象とする前記コンテンツを選択する
制御部
を備える再生装置。
【請求項２】
前記表示部は、前記グループごとに第１の方向に沿って、再生候補の前記コンテンツに関連する前記画像を前記グループごとに複数枚ずつ表示し、
前記制御部は、前記第１の方向に略直交する第２の方向を示すユーザの操作に従って、再生候補の前記コンテンツに関連する前記画像を前記第２の方向にスライドし、前記表示部に表示される所定数のグループを切り替える
請求項１に記載の再生装置。
【請求項３】
前記表示部は、再生対象の前記コンテンツに関連する前記画像を所定位置に表示するとともに、再生候補の前記コンテンツに関連する前記画像を前記第１の方向の一方側に表示し、
前記制御部は、前記第１の方向の一方から他方を示すユーザの操作に従って、前記所定位置から直接的に前記第１の方向の一方側に表示されている前記画像に対応する前記コンテンツを、新たな再生対象のコンテンツとして選択する
請求項１または２に記載の再生装置。
【請求項４】
前記表示部は、前記制御部により新たに再生対象とする前記コンテンツが選択されると、新たに再生対象とする前記コンテンツに関連する前記画像を前記所定位置に表示するとともに、直前まで再生対象であった前記コンテンツに関連する前記画像を、前記所定位置から直接的に前記第１の方向の他方側に表示する
請求項１乃至３のいずれかに記載の再生装置。
【請求項５】
前記制御部は、再生対象の前記コンテンツの再生が終了すると、前記所定位置から直接的に前記第１の方向の一方側に表示されている前記画像に対応する前記コンテンツを、新たな再生対象のコンテンツとして選択する
請求項１乃至４のいずれかに記載の再生装置。
【請求項６】
前記制御部は、前記表示部に表示されている再生候補の前記コンテンツに関連する前記画像をユーザが指定する操作を行うと、その指定された前記画像に対応する前記コンテンツを、新たな再生対象のコンテンツとして選択する
請求項１乃至５のいずれかに記載の再生装置。
【請求項７】
再生候補とされた複数のコンテンツが有する複数の関連性に応じて、前記複数のコンテンツを分類した複数のグループのうち、所定数のグループに含まれる前記コンテンツに関連する画像を、表示部に表示させ、
ユーザの操作に基づいて、前記所定数のグループを切り替えて、前記コンテンツに関する画像を、前記表示部に表示させ、
前記コンテンツの中から再生対象とする前記コンテンツを選択する
ステップを含む再生方法。
【請求項８】
再生候補とされた複数のコンテンツが有する複数の関連性に応じて、前記複数のコンテンツを分類した複数のグループのうち、所定数のグループに含まれる前記コンテンツに関連する画像を、表示部に表示させ、
ユーザの操作に基づいて、前記所定数のグループを切り替えて、前記コンテンツに関する画像を、前記表示部に表示させ、
前記コンテンツの中から再生対象とする前記コンテンツを選択する
ステップを含む処理をコンピュータに実行させるプログラム。
【手続補正２】
【補正対象書類名】明細書
【補正対象項目名】０００９
【補正方法】変更
【補正の内容】
【０００９】
本開示の一側面の再生装置は、再生候補とされた複数のコンテンツが有する複数の関連性に応じて、前記複数のコンテンツを分類した複数のグループのうち、所定数のグループに含まれる前記コンテンツに関連する画像を、表示部に表示させ、ユーザの操作に基づいて、前記所定数のグループを切り替えて、前記コンテンツに関する画像を、前記表示部に表示させ、前記コンテンツの中から再生対象とする前記コンテンツを選択する制御部を備える。
【手続補正３】
【補正対象書類名】明細書
【補正対象項目名】００１０
【補正方法】変更
【補正の内容】
【００１０】
本開示の一側面の再生方法またはプログラムは、再生候補とされた複数のコンテンツが有する複数の関連性に応じて、前記複数のコンテンツを分類した複数のグループのうち、所定数のグループに含まれる前記コンテンツに関連する画像を、表示部に表示させ、ユーザの操作に基づいて、前記所定数のグループを切り替えて、前記コンテンツに関する画像を、前記表示部に表示させ、前記コンテンツの中から再生対象とする前記コンテンツを選択するステップを含む。
【手続補正４】
【補正対象書類名】明細書
【補正対象項目名】００１１
【補正方法】変更
【補正の内容】
【００１１】
本開示の一側面においては、再生候補とされた複数のコンテンツが有する複数の関連性に応じて、前記複数のコンテンツを分類した複数の複数のグループのうち、所定数のグループに含まれるコンテンツに関連する画像が表示され、ユーザの操作に基づいて、所定数のグループが切り替えられて、コンテンツに関する画像が表示されて、コンテンツの中から再生対象とするコンテンツが選択される。
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
トランスデューサヘッドであって、
書込磁極と、
シールドと、
前記シールドの磁気応答と前記書込磁極の磁気応答とを能動的に同期させる制御回路とを備える、トランスデューサヘッド。
【請求項２】
前記シールドは、前面シールドである、請求項１に記載のトランスデューサヘッド。
【請求項３】
前記シールドは、側面シールドである、請求項１に記載のトランスデューサヘッド。
【請求項４】
前記制御回路は、少なくとも１つのコイルワイヤを励起するように構成される、請求項１に記載のトランスデューサヘッド。
【請求項５】
前記制御回路は、メイントランスデューサヘッドコイル内に流れる電流と反対方向の電流を用いて、前記少なくとも１つのコイルワイヤを励起するように構成される、請求項４に記載のトランスデューサヘッド。
【請求項６】
前記コイルワイヤは、前記シールドに隣接する、請求項４に記載のトランスデューサヘッド。
【請求項７】
前記コイルワイヤは、前記シールドの内部にある、請求項４に記載のトランスデューサヘッド。
【請求項８】
前記制御回路は、記録媒体上の磁気セルの密度を増加させて、消去を緩和するとともに性能を向上させるように構成される、請求項１に記載のトランスデューサヘッド。
【請求項９】
前記制御回路は、記録媒体上のトラックに沿った磁気セルの密度を増加するように構成される、請求項１に記載のトランスデューサヘッド。
【請求項１０】
前記制御回路は、記録媒体上の隣接トラック間の磁気セルの密度を増加するように構成される、請求項１に記載のトランスデューサヘッド。
【請求項１１】
トランスデューサヘッドを製造する方法であって、
動作中に、シールドの磁気応答と書込磁極の磁気応答とを能動的に同期させるように制御回路を構成するステップと、
動作中に、メイントランスデューサヘッドコイル内に流れる電流と反対方向の電流を用いて、少なくとも１つのコイルワイヤを励起するように前記制御回路を構成するステップとを備える、方法。
【請求項１２】
方法であって、
少なくとも１つのコイルワイヤを励起する電流信号のパラメータを調整することによって、シールドの磁気応答を書込磁極の磁気応答に能動的に同期させるステップを備える、方法。
【請求項１３】
前記シールドを励起するステップをさらに備える、請求項１２に記載の方法。
【請求項１４】
メイントランスデューサヘッドコイル内に流れる電流と反対方向の電流を用いて、前記少なくとも１つのコイルワイヤを励起するステップをさらに備える、請求項１２に記載の方法。
【請求項１５】
前記少なくとも１つのコイルワイヤは、前面シールド上にある、請求項１２に記載の方法。
【請求項１６】
前記少なくとも１つのコイルワイヤは、前面シールドの内側にある、請求項１２に記載の方法。
【請求項１７】
前記少なくとも１つのコイルワイヤは、側面シールド上にある、請求項１２に記載の方法。
【請求項１８】
前記少なくとも１つのコイルワイヤは、側面シールドの内部にある、請求項１２に記載の方法。
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
読み出し／書き込みヘッドに結合するように構成された制御回路網を備える装置であって、
前記読み出し／書き込みヘッドは、記憶ディスクからデータを読み出し、及び、前記記憶ディスクにデータを書き込むように構成され、
前記制御回路網は、前記読み出し／書き込みヘッドから受け取ったデータ及び前記読み出し／書き込みヘッドに供給されるデータを処理して、前記記憶ディスクに対する前記読み出し／書き込みヘッドの位置決めを制御するように構成され、
前記制御回路網は、
前記読み出し／書き込みヘッドによって前記記憶ディスクの少なくとも１つの所定のトラックから読み出された信号を、該信号中の前記記憶ディスクの少なくとも１つの他のトラックからの干渉を検出するために処理するように構成されたトラック間干渉検出器と、
前記検出された干渉に応じて前記読み出し／書き込みヘッドの前記位置決めを調節するように構成されたトラック間干渉ベースのヘッド位置コントローラ
とを備えることからなる、装置。
【請求項２】
前記トラック間干渉ベースのヘッド位置コントローラは、前記検出された干渉を特徴付ける情報に少なくとも部分的に基づいて前記読み出し／書き込みヘッドの前記位置決めを調節するように構成され、前記情報は、１つ以上のトラック間干渉測定指標を含む、請求項１に記載の装置。
【請求項３】
前記制御回路網は、前記記憶ディスクの表面上のタイミング・パターンを検出することによって生成されるサーボ・タイミング情報に少なくとも部分的に基づいて前記読み出し／書き込みヘッドの位置決めを制御するように構成されたサーボ・コントローラを備え、前記タイミング・パターンは、前記表面上に形成された複数のサーボ・マークを含む、請求項１に記載の装置。
【請求項４】
前記サーボ・コントローラは、前記サーボ・タイミング情報と、前記検出された干渉を特徴付ける情報との両方を利用して、前記読み出し／書き込みヘッドの位置決めを制御するように構成されている、請求項３に記載の装置。
【請求項５】
前記サーボ・コントローラは、
サーボ・プロセッサと、
前記読み出し／書き込みヘッド及び前記記憶ディスクを備えるヘッド・ディスク組立部品に結合するように構成された調整モータ制御モジュール
とをさらに備え、
前記調整モータ制御モジュールは、前記サーボ・プロセッサ及び前記ヘッド位置コントローラからそれぞれの制御信号を受けることからなる、請求項３に記載の装置。
【請求項６】
前記ヘッド位置コントローラからの制御信号は、前記検出された干渉を特徴付ける情報を利用してルックアップ・テーブルをアドレスすることによって少なくとも部分的に生成される、請求項５に記載の装置。
【請求項７】
前記サーボ・コントローラは、
前記サーボ・プロセッサに結合されたタイミング制御回路網と、
前記タイミング制御回路網の出力に応じて、前記ヘッド位置コントローラからの前記制御信号を前記調整モータ制御モジュールの入力部に選択的に適用するように構成された切換回路網
とをさらに備えることからなる、請求項５に記載の装置。
【請求項８】
読み出し／書き込みヘッドによって記憶ディスクの少なくとも１つの所定のトラックから読み出された信号を、該信号中の前記記憶ディスクの少なくとも１つの他のトラックからのトラック間干渉を検出するために処理するステップと、
前記検出された干渉に応じて前記読み出し／書き込みヘッドの位置を調節するステップ
を含む方法。
【請求項９】
少なくとも１つの記憶ディスクと、
前記記憶ディスクからデータを読み出し、及び、前記記憶ディスクにデータを書き込むように構成された読み出し／書き込みヘッドと、
前記読み出し／書き込みヘッドに結合され、前記読み出し／書き込みヘッドから受け取ったデータ及び前記読み出し／書き込みヘッドに供給されるデータを処理して、前記記憶ディスクに対する前記読み出し／書き込みヘッドの位置決めを制御するように構成された制御回路網
とを備える記憶装置であって、
前記制御回路網は、
前記読み出し／書き込みヘッドによって前記記憶ディスクの少なくとも１つの所定のトラックから読み出された信号を、該信号中の前記記憶ディスクの少なくとも１つの他のトラックからの干渉を検出するために処理するように構成されたトラック間干渉検出器と、
前記検出された干渉に応じて前記読み出し／書き込みヘッドの前記位置決めを調節するように構成された、トラック間干渉ベースのヘッド位置コントローラ
とを備えることからなる、記憶装置。
【請求項１０】
前記トラック間干渉ベースのヘッド位置コントローラはさらに、前記検出された干渉を特徴付ける情報を受け取り、及び、受け取った該情報に基づいて、前記読み出し／書き込みヘッドの前記位置決めを調節するように構成される、請求項１に記載の装置。
【請求項１１】
前記トラック間干渉ベースのヘッド位置コントローラはさらに、トラック間干渉測定指標を受け取り、及び、受け取った該トラック間干渉測定指標に基づいて前記読み出し／書き込みヘッドの前記位置決めを調節するように構成される、請求項１に記載の装置。
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
記録ディスクが載置されるべきハブと、ハブを回転自在に支持する軸受ユニットと、ハブの回転軸に沿って孔が形成されたベースと、を備える回転機器の製造方法であって、
軸受ユニットおよびベースを形成する工程と、
ベースを加熱すること、加熱されたベースの孔の内周面に、温度が高いほど速く硬化する接着剤を塗布すること、塗布された接着剤に近い方の孔の一端から軸受ユニットを挿入すること及び、軸受ユニットとベースとに介在する接着剤を、所定の加熱処理によりさらに硬化させることができる仮硬化状態とすること、を含む加熱後接着工程と、
軸受ユニットとベースとそれらに介在し仮硬化状態となっている接着剤とを含むアセンブリを、前記加熱後接着工程において軸受ユニットおよびベースが置かれていたステージとは別のステージへ移動させる工程と、
別のステージにおいてアセンブリを加熱する再加熱工程と、
加熱されたアセンブリを使用して回転機器を組み立てる工程と、を含むことを特徴とする製造方法。
【請求項２】
軸受ユニットとベースとそれらに介在し仮硬化状態となっている接着剤とを含むアセンブリを、前記加熱後接着工程において軸受ユニットおよびベースが置かれていたステージから取り出してベースから軸受ユニットにかけて導電性樹脂を塗布する導電性樹脂塗布工程をさらに含むことを特徴とする請求項１に記載の製造方法。
【請求項３】
前記加熱後接着工程における前記ベースを加熱することは、ヒータにより加熱された加熱用部材をベースに接触させることでベースを加熱することを含むことを特徴とする請求項１または２に記載の製造方法。
【請求項４】
前記加熱後接着工程は、ベースの加熱を解除することをさらに含み、
前記塗布することは、加熱が解除されたベースの孔の内周面に接着剤を塗布することを含むことを特徴とする請求項１から３のいずれかに記載の製造方法。
【請求項５】
前記加熱後接着工程における前記ベースを加熱することでは、ベースの温度は前記塗布する工程において塗布される接着剤のガラス転移点温度を超えて上昇することを特徴とする請求項１から４のいずれかに記載の製造方法。
【請求項６】
前記加熱後接着工程における前記接着剤を塗布することは、接着剤が塗布される際のベースの温度は、ガラス転移点温度よりも低く周囲の温度よりは高い状態で行われることを特徴とする請求項５に記載の製造方法。
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
入力領域においてユーザによってタッチされているタッチ点を検出する検出手段と、
前記検出手段により複数のタッチ点を検出した場合に、前記複数のタッチ点のうち、最新のタッチ点ではないタッチ点が有効かを判定する判定手段と、
前記判定手段により有効と判定されたタッチ点に関する情報を、タッチ操作を入力するための入力情報として認識する認識手段と、
を備えることを特徴とする情報処理装置。
【請求項２】
前記判定手段は、前記最新のタッチ点ではないタッチ点が、マルチタッチ操作を構成するタッチ点として有効かを判定し、
前記認識手段は、前記複数のタッチ点のうち最新のタッチ点と、前記判定手段により有効と判定されたタッチ点とを含む複数のタッチ点に関する情報を、マルチタッチ操作を入力するための入力情報として認識することを特徴とする請求項１の情報処理装置。
【請求項３】
前記判定手段は、前記検出手段により検出されているタッチ点が増加した時に、前記複数のタッチ点のうち、最新のタッチ点ではないタッチ点が有効か無効かを判定することを特徴とする請求項１または２の情報処理装置。
【請求項４】
前記判定手段は、前記検出手段により複数のタッチ点を検出したとき、前記最新のタッチ点ではないタッチ点において、前記ユーザによるタッチが検出されている時間の長さに基づいて、前記最新のタッチ点ではないタッチ点が有効かを判定することを特徴とする請求項３に記載の情報処理装置。
【請求項５】
前記判定手段は、前記最新のタッチ点ではないタッチ点において、前記ユーザによるタッチが検出されている時間の長さが所定の長さより長い場合、前記最新のタッチ点ではないタッチ点が有効であると判定することを特徴とする請求項４に記載の情報処理装置。
【請求項６】
前記判定手段は、前記最新のタッチ点ではないタッチ点において、前記ユーザによるタッチが検出されていて、かつ略停止している時間の長さに基づいて、前記最新のタッチ点ではないタッチ点が有効かを判定することを特徴とする請求項５に記載の情報処理装置。
【請求項７】
前記判定手段は、前記最新のタッチ点ではないタッチ点において、前記ユーザによるタッチが検出されていて、かつ略停止している時間の長さの長さが所定の長さより長い場合、前記最新のタッチ点ではないタッチ点が有効であると判定することを特徴とする請求項６に記載の情報処理装置。
【請求項８】
入力領域においてユーザによってタッチされているタッチ点を検出する検出手段と、
前記検出手段により複数のタッチ点を検出した場合に、前記複数のタッチ点のうち、最新の移動を検出したタッチ点ではないタッチ点が有効かを判定する判定手段と、
前記判定手段により有効と判定されたタッチ点に関する情報を、タッチ操作を入力するための入力情報として認識する認識手段と、
を備えることを特徴とする情報処理装置。
【請求項９】
前記判定手段は、前記最新の移動を検出したタッチ点ではないタッチ点が、マルチタッチ操作を構成するタッチ点として有効かを判定し、
前記認識手段は、前記複数のタッチ点のうち最新のタッチ点と、前記判定手段により有効と判定されたタッチ点とを含む複数のタッチ点に関する情報を、マルチタッチ操作を入力するための入力情報として認識することを特徴とする請求項８の情報処理装置。
【請求項１０】
前記判定手段は、前記検出手段により検出されている複数のタッチ点のうち、一部のタッチ点が所定の距離以上移動した最新の移動を検出した時に、前記複数のタッチ点のうち、前記最新の移動を検出したタッチ点ではないタッチ点が有効かを判定することを特徴とする請求項８または９の情報処理装置。
【請求項１１】
前記判定手段は、前記検出手段により複数のタッチ点を検出したとき、前記最新の移動を検出したタッチ点ではないタッチ点において、前記所定の距離以上の移動が検出されていない時間の長さに基づいて、前記最新の移動を検出したタッチ点ではないタッチ点が有効かを判定することを特徴とする請求項１０に記載の情報処理装置。
【請求項１２】
前記判定手段は、前記最新の移動を検出したタッチ点ではないタッチ点において、前記所定の距離以上の移動が検出されていない時間の長さが所定の時間より長い場合、前記最新の移動を検出したタッチ点ではないタッチ点が有効であると判定することを特徴とする請求項１１に記載の情報処理装置。
【請求項１３】
検出手段により、入力領域においてユーザによってタッチされているタッチ点を検出する検出工程と、
判定手段により、前記検出手段により複数のタッチ点を検出した場合に、前記複数のタッチ点のうち、最新のタッチ点ではないタッチ点が有効かを判定する判定工程と、
認識手段により、前記判定工程において有効と判定されたタッチ点に関する情報を、タッチ操作を入力するための入力情報として認識する認識工程と、
を備えることを特徴とする情報処理装置の制御方法。
【請求項１４】
検出手段により、入力領域においてユーザによってタッチされているタッチ点を検出する検出工程と、
判定手段により、前記検出手段により複数のタッチ点を検出した場合に、前記複数のタッチ点のうち、最新の移動を検出したタッチ点ではないタッチ点が有効かを判定する判定工程と、
認識手段により、前記判定工程において有効と判定されたタッチ点に関する情報を、タッチ操作を入力するための入力情報として認識する認識工程と、
を備えることを特徴とする情報処理装置の制御方法。
【請求項１５】
コンピュータに読み込ませ実行させることで、請求項１乃至１１のいずれか１項に記載された情報処理装置として動作させるためのプログラム。
【請求項１６】
請求項１５に記載のプログラムを記憶したコンピュータが読み取り可能な記憶媒体。
【手続補正２】
【補正対象書類名】明細書
【補正対象項目名】０００５
【補正方法】変更
【補正の内容】
【０００５】
上記課題を解決するために、本発明は、入力領域においてユーザによってタッチされているタッチ点を検出する検出手段と、  前記検出手段により複数のタッチ点を検出した場合に、前記複数のタッチ点のうち、最新のタッチ点ではないタッチ点が有効かを判定する判定手段と、  前記判定手段により有効と判定されたタッチ点に関する情報を、タッチ操作を入力するための入力情報として認識する認識手段と、を備えることを特徴とする情報処理装置。
【手続補正書】
【提出日】平成27年1月23日(2015.1.23)
【手続補正１】
【補正対象書類名】特許請求の範囲
【補正対象項目名】請求項２
【補正方法】変更
【補正の内容】
【請求項２】
前記顔情報管理テーブルは、前記顔識別情報を構成する顔特徴量情報と撮影機特定情報とをそれぞれ格納する欄を具備し、
前記画像入力手段で入力した画像データに撮影機特定情報及び顔特徴量情報が付加されている場合には、前記撮影機特定情報及び前記顔特徴量情報を前記顔情報管理テーブルの該当する欄に書き込む
ことを特徴とする請求項１に記載の画像管理装置。
【手続補正２】
【補正対象書類名】明細書
【補正対象項目名】００１４
【補正方法】変更
【補正の内容】
【００１４】
図１に示すように、デジタルカメラ１００の背面には、表示部１０２と、方向ボタン、決定ボタン及びメニューボタンなどの操作部１０４が配置されている。上面にはシャッタボタン１０６が配置されている。側面には、ユーザがメモリカードなどの記録媒体を自由に装着排出するためのスロット１０８と、外部のＵＳＢ記憶機器と接続するためのＵＳＢコネクタ１１０が配置されている。
【手続補正３】
【補正対象書類名】明細書
【補正対象項目名】００３３
【補正方法】変更
【補正の内容】
【００３３】
顔情報管理テーブル６００は、カメラ１００内で画像に含まれる顔を一意に特定する固有ＩＤ６０２と、顔識別情報としての顔識別子６０４と、撮影機を特定する撮影機特定情報６０６からなる。顔識別子６０４は、顔特徴量情報管理テーブル５００とリンクされて、共通に利用される。固有ＩＤ６０２には、テーブル６００の更新時に顔情報管理テーブル６００に未だ記録されていない値が生成されて割り当てられる。撮影機特定情報６０６には、自装置で撮影したことを示す識別子が設定される。撮影機特定情報６０６に設定されるコードは、実際に撮影した機器を特定できるシリアル番号のような固有ＩＤである。
【手続補正４】
【補正対象書類名】明細書
【補正対象項目名】００５４
【補正方法】変更
【補正の内容】
【００５４】
内蔵メモリ１３４の画像ファイルを全部、調べ終わったら（Ｓ１２０５）、制御部１１８は、得られている顔リストを表示部１０２に表示する（Ｓ１２１０）。なお、検索途中に途中結果として顔リストを表示し、その表示を更新してもよい。
【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
ユーザが視認している第１のオブジェクトと、当該ユーザが位置を移動可能な第２のオブジェクトと、が所定の位置関係を成す場合に、前記第２のオブジェクトに対応付けられた所定のコマンドを発行するコマンド発行部と、
前記所定のコマンドに関する仮想オブジェクトを前記第１又は第２のオブジェクトに重畳表示させる表示制御部と、
を備える、
情報処理装置。
【請求項２】
前記所定のコマンドを実行可能な機器に対して前記コマンド発行部により発行された前記所定のコマンドを送信するコマンド送信部をさらに備える、
請求項１に記載の情報処理装置。
【請求項３】
前記コマンド発行部は、前記第２のオブジェクトに対応付けられ、かつ、前記第１のオブジェクトにも対応付けられた前記所定のコマンドを発行する、
請求項１又は２に記載の情報処理装置。
【請求項４】
複数の前記仮想オブジェクトを前記第２のオブジェクトに重畳表示させる場合に、前記第２のオブジェクトの位置及び形状に基づいて前記各仮想オブジェクトの表示位置を決定する位置決定部を更に備え、
前記表示制御部は、前記位置決定部により決定された前記表示位置に前記各仮想オブジェクトを表示させる、
請求項１から３のいずれか１項に記載の情報処理装置。
【請求項５】
前記表示制御部は、前記第１のオブジェクトと前記第２のオブジェクトとが前記所定の位置関係を成していない場合には第１の前記仮想オブジェクトを表示させ、
前記第１のオブジェクトと前記第２のオブジェクトとが前記所定の位置関係を成している場合には当該第１の仮想オブジェクトとは異なる第２の前記仮想オブジェクトを表示させる、
請求項１から４のいずれか１項に記載の情報処理装置。
【請求項６】
前記コマンド発行部は、前記第１のオブジェクトと前記第２のオブジェクトとの間の距離が所定の閾値以下となった場合に、前記第１のオブジェクトと前記第２のオブジェクトとが前記所定の位置関係を成すものと判定して前記所定のコマンドを発行する、
請求項１から５のいずれか１項に記載の情報処理装置。
【請求項７】
前記コマンド発行部は、前記第２のオブジェクトの移動パターンが所定の軌跡を描く場合に前記所定のコマンドを発行する、
請求項１から５のいずれか１項に記載の情報処理装置。
【請求項８】
前記コマンド発行部は、前記所定の軌跡の種類に応じた前記所定のコマンドを発行する、
請求項７に記載の情報処理装置。
【請求項９】
前記コマンド発行部は、前記第２のオブジェクトが前記第１のオブジェクトを基準とした前記所定の位置関係を成し、かつ、前記第２のオブジェクトの前記移動パターンが前記所定の軌跡を描く場合に前記所定のコマンドを発行する、
請求項７又は８に記載の情報処理装置。
【請求項１０】
前記コマンド発行部は、複数の前記所定のコマンドが前記第２のオブジェクトに対応付けられ、かつ、複数の前記仮想オブジェクトが前記第１のオブジェクトに重畳表示されている場合に、前記第２のオブジェクトと前記各仮想オブジェクトとの位置関係に応じて、発行する前記所定のコマンドを選択する、
請求項１から５のいずれか１項に記載の情報処理装置。
【請求項１１】
前記コマンド発行部は、複数の前記所定のコマンドが前記第２のオブジェクトに対応付けられ、かつ、複数の前記仮想オブジェクトが前記第２のオブジェクトに重畳表示されている場合に、前記第１のオブジェクトと前記各仮想オブジェクトとの位置関係に応じて、発行する前記所定のコマンドを選択する、
請求項１から５のいずれか１項に記載の情報処理装置。
【請求項１２】
前記コマンド発行部は、複数の前記所定のコマンドが前記第２のオブジェクトに対応付けられており、かつ、当該第２のオブジェクトが所定の軌跡を描く場合に、当該所定の軌跡に対応した前記所定のコマンドを発行する、
請求項１から５のいずれか１項に記載の情報処理装置。
【請求項１３】
前記第１のオブジェクトは、仮想空間内のオブジェクトである、
請求項１から１２のいずれか１項に記載の情報処理装置。
【請求項１４】
前記第１のオブジェクトは、前記ユーザが位置を移動可能である、
請求項１から１３のいずれか１項に記載の情報処理装置。
【請求項１５】
前記表示制御部は、前記ユーザの頭部に装着可能であり、かつ、当該ユーザによって表示情報を視認することが可能なように当該表示情報を表示する表示部を有する頭部搭載型デバイスを制御して前記仮想オブジェクトを当該表示部に表示させる、
請求項１から１４のいずれか１項に記載の情報処理装置。
【請求項１６】
前記頭部搭載型デバイスは、撮像部又はセンサをさらに有し、
前記第２のオブジェクトの位置は、前記撮像部により撮像された前記第２のオブジェクトの画像又は前記センサにより検知された前記第２のオブジェクトの検知結果に基づいて検出される、
請求項１５に記載の情報処理装置。
【請求項１７】
ユーザが視認している第１のオブジェクトと、当該ユーザが位置を移動可能な第２のオブジェクトと、が所定の位置関係を成す場合に、前記第２のオブジェクトに対応付けられた所定のコマンドを発行するステップと、
前記所定のコマンドに関する仮想オブジェクトを前記第１又は第２のオブジェクトに重畳表示させるステップと、
を含む、
情報処理方法。
【請求項１８】
コンピュータに、
ユーザが視認している第１のオブジェクトと、当該ユーザが位置を移動可能な第２のオブジェクトと、が所定の位置関係を成す場合に、前記第２のオブジェクトに対応付けられた所定のコマンドを発行するコマンド発行機能と、
前記所定のコマンドに関する仮想オブジェクトを前記第１又は第２のオブジェクトに重畳表示させる表示制御機能と、
を実現させるためのプログラム。
【手続補正２】
【補正対象書類名】明細書
【補正対象項目名】００６２
【補正方法】変更
【補正の内容】
【００６２】
［２−３：情報処理装置１００の動作（図７）］
次に、図７を参照しながら、第１実施例に係る情報処理装置１００の動作について説明する。図７は、第１実施例に係る情報処理装置１００の動作について説明するための流れ図である。
【手続補正３】
【補正対象書類名】明細書
【補正対象項目名】０１５０
【補正方法】変更
【補正の内容】
【０１５０】
［３−３：情報処理装置１００の動作（図１９）］
次に、図１９を参照しながら、第２実施例に係る情報処理装置１００の動作について説明する。図１９は、第２実施例に係る情報処理装置１００の動作について説明するための流れ図である。